(57)【特許請求の範囲】
【請求項１】
開閉操作ハンドルの操作方向と直交する方向に一列に並べられた複数の遮断器を収納し，前記遮断器の開閉操作ハンドルを露出させる矩形の開口部が形成されている表面パネルを有する配電盤において，
前記複数の遮断器が並ぶ方向と平行する前記開口部の縁に沿って対向して設けられる一対のカバーであって，前記表面パネルの外側に位置する外平面と前記表面パネルより内側であって前記遮断器の正面部に沿って位置する内平面と前記外平面と前記内平面を連結する連結面を有する階段状の断面形状を有し，前記外平面において前記表面パネルに固定される一対のカバーと，
前記表面パネルの裏面に沿う一方の脚と該一方の脚と直交する他方の脚を有する桟であって，前記カバーの延びる方向と直交する方向に延びその両端が前記表面パネルの端縁付近で固定される桟と，
前記表面パネルの裏面と前記桟が接触した状態で前記桟に前記カバーを固定する固定手段と，を有し，
一対の前記カバーが，該カバーの一対の内平面の対向する縁部間に前記開閉操作ハンドルが位置するような間隔をもって取り付けられることを特徴とする配電盤。
【請求項２】
前記桟の一方の脚と前記カバーの内平面との間に設けられ，ねじ込むことによって前記表面パネルの裏面が前記桟の一方の脚に押し付けられるように作用するねじを有することを特徴とする請求項１の配電盤。
【請求項３】
前記表面パネルの裏面と前記桟とは，振動吸収部材を介して接触させていることを特徴とする請求項１の配電盤。
【発明の詳細な説明】
【技術分野】
【０００１】
本発明は，複数の遮断器が並列配置され，これらの遮断器の開閉操作ハンドルを露出させるための開口部が形成された表面パネルを有する配電盤に関する。
【背景技術】
【０００２】
配電盤には，内部に並列配置された複数の遮断器を有し，その開閉操作ハンドルを外部から操作するために表面パネルに開口部を形成したものがある。
このような配電盤の従来の技術の例を，特開２００３−１３４６１５号公報に開示されている図５，図６及び図７によって説明する。図６は，この従来の配電盤に取り付けられた配線用遮断器や漏電遮断器などの三相用の遮断器１００を示す図であって，主として配電盤に固定されたブスバー１０１に接続される差込端子１０２を有するベース部材１０３と開閉機構や開閉接点などを収納する絶縁成型ケースを有する遮断器本体１０４とからなる。
遮断器本体１０４は，三相の負荷側端子１０５，上述の差込端子１０２に接続された電源側端子１０６，絶縁成型ケースの表面に形成されている方形の土手１０７及び土手１０７に囲まれた孔から突き出ている開閉操作ハンドル１０８を有する。開閉操作ハンドル１０８は遮断器１００の幅方向の中心線上に位置し，電源側端子１０６側に操作させることにより遮断器１００をＯＮにでき，負荷側端子１０５側に操作させることによってＯＦＦにできる。
【０００３】
図５はこの従来の配電盤を正面から見た図であり，開閉操作ハンドル１０８が正面を向きその操作方向が左右方向になるように向いて，複数の遮断器１００が，開閉操作ハンドル１０８の操作方向と直交する縦方向に互いに接するように並んで取り付けられている。
そして，図５及び図７を参照して，この配電盤の表面パネル１０９には各遮断器１００に共通の縦長の矩形のパネル開口部１１０が設けられている。このパネル開口部１１０はその縦長の縁部が遮断器１００の土手１０７の外壁に沿うように形成されている。
【０００４】
【特許文献１】特開２００３−１３４６１５号公報
【発明の開示】
【発明が解決しようとする課題】
【０００５】
上述した従来の配電盤の表面パネル１０９は，その外周に沿って折り曲げ部を有しており，その外周付近で配電盤の枠部材に取り付けられている。
この表面パネルは薄い鉄板によって構成されているため撓みが発生し，中央部に位置する前述の開口部において，表面パネル９の裏面と遮断器２の絶縁成型ケースの表面との間隔が一定ではなく，双方の隙間が大きくなりすぎたり，振動が多い場所に設置されたときは表面パネルの中央部が震えて顧客に不安や不快感を与えるという問題があった。
したがって，本願発明は，表面パネルのたわみを抑えることができる，組立の簡単な配電盤を提供することを目的とする。
【課題を解決するための手段】
【０００６】
上記の問題を解決するために，請求項１の発明は，開閉操作ハンドルの操作方向と直交する方向に一列に並べられた複数の遮断器を収納し，遮断器の開閉操作ハンドルを露出させる矩形の開口部が形成されている表面パネルを有する配電盤において，複数の遮断器が並ぶ方向と平行する開口部の縁に沿って対向して設けられる一対のカバーであって，表面パネルの外側に位置する外平面と表面パネルより内側であって遮断器の正面部に沿って位置する内平面と外平面と内平面を連結する連結面を有する階段状の断面形状を有し，外平面において表面パネルに固定される一対のカバーと，表面パネルの裏面に沿う一方の脚と該一方の脚と直交する他方の脚を有する桟であって，カバーの延びる方向と直交する方向に延びその両端が表面パネルの端縁付近で固定される桟と，表面パネルの裏面と桟が接触した状態で桟にカバーを固定する固定手段と，を有し，一対のカバーが，該カバーの一対の内平面の対向する縁部間に開閉操作ハンドルが位置するような間隔をもって取り付けられることとしている。
【０００７】
請求項２の発明は，請求項１の発明において， 桟の一方の脚とカバーの内平面との間に設けられ，ねじ込むことによって表面パネルの裏面が桟の一方の脚に押し付けられるように作用するねじを有することとしている。
【０００８】
請求項３の発明は，請求項１の発明において，表面パネルの裏面と桟とは，振動吸収部材を介して接触させていることとしている。
【発明の効果】
【０００９】
請求項１の発明による配電盤は，表面パネルの矩形の開口部が，その対向する一方の縁に沿って取り付けられている階段状の断面を有するカバーと，対向する他方の縁に沿って取り付けられている直交する断面を有する桟と，によって囲まれているため開口部自体が撓むことがない。  さらに，表面パネルの裏面に桟が押し付けられるような状態でカバーの端部が桟に取り付けられるため，パネル全体を見たとき開口部周辺で表面パネルが撓んだ状態になることもない。  その結果，表面パネルの裏面と遮断器の表面との隙間が大きくなりすぎたり，表面パネルの中央部が震えることがないため，顧客に不安感や不快感を与えることがないという効果を奏する。
【００１０】
請求項２の発明は，請求項１の発明の効果に加えて，表面パネルの裏面と桟との間にねじのねじ込み作用力が保持された状態で固定されることにより，双方の接触状態がより密接状態となるため，表面パネルの中央部の震えをより確実に防止できるという効果を奏する。
【００１１】
請求項３の発明は，請求項１の発明の効果に加えて，表面パネルの裏面と桟との間に振動吸収部材を介在させていることによって，表面パネルの中央部の震えをより確実に防止できるという効果を奏する。
【発明を実施するための最良の形態】
【００１２】
本発明の実施の形態を，図１ないし図４に示されている実施例において説明する。
図２，図３及び図４を参照して，本実施例の配電盤は，その内部の取付部材に取り付けられた複数の遮断器１と配電盤の正面を覆う表面パネル４を有する。複数の遮断器１は，それぞれが開閉操作ハンドル２が正面を向きその操作方向が左右方向になるように向いて，開閉操作ハンドル２の操作方向と直交する縦方向に並んで互いに接するように取り付けられている。
また，表面パネル４は，薄い鉄板製であって外周が折り曲げられた矩形の浅い箱状であって，ヒンジ３を介して配電盤の枠部材に取り付けられており，その正面中央部には遮断器１の開閉操作ハンドル２を正面から操作できるように縦長の開口部５が形成されている。開口部５の縦方向の内縁５ａには，左右対称に対向するように一対のカバー６が取り付けられている。また，横方向の内縁５ｂに沿って，上下対称に対向するように一対の桟７が表面パネル４の裏面に取り付けられている。
【００１３】
図３（ａ）および図４を参照して，カバー６は，表面パネル４の表面に接する表平面６ａ，表平面６ａから直角に曲げられて配電盤の内側方向に向かう連結面６ｂ及び連結面６ｂから表平面６ａとは反対方向に直角に曲げられた内平面６ｃを有する，断面が階段状の鉄板で形成されている。そして，この一対のカバー６は，開閉操作ハンドル２の操作を妨げないように，図４において，遮断器１の土手を含む平面突起８より上側及び下側の遮断器１の表面に内平面６ｃが沿うように位置する。
なお，カバー６の連結面６ｂの上側及び下側の端部には左右方向に曲げられた水平舌部６ｄが設けられており，この水平舌部６ｄにはこの配電盤の奥行方向に長い小判孔６ｅが形成されている。また，カバー６の内平面６ｃは，連結面６ｂよりもさらに上側及び下側に長くなるように垂直舌部６ｆを有しており，この垂直舌部６ｆにはねじ孔６ｇが設けられている。
【００１４】
一方，図３（ｂ）を参照して，桟７は，上側のものについて説明すると，表面パネル４の裏面に対向するパネル対向脚７ａと，パネル対向脚７ａの下縁から配電盤の内側方向に直角に曲げられて形成されるとともにカバー６を固定するためのねじ孔７ｂを有するカバー取付脚７ｃとを有する，断面がＬ字状の鉄板で形成されている。そして，この桟７には，さらに，その左右の両端に，パネル対向脚７ａ又はカバー取付脚７ｃがさらに直角に曲げられてねじ孔が形成された取付舌部７ｄが設けられている。
【００１５】
図１ないし図４を参照して，このような配電盤のカバー６を表面パネル４に取り付ける方法を以下に説明する。
まず，カバー６を表平面６ａにおいてねじ９で表面パネル４に固定する。次に，桟７を，そのパネル対向脚７ａが表面パネル４の裏面に略沿うように配置させて，その取付舌部７ｄを表面パネル４の外周の折り曲げ部にねじ１０で固定する。この時点で，図２（ｃ）のＢ−Ｂから見た図１（ａ）に示すごとく，薄い鉄板製の表面パネル４の中央部が撓んで，表面パネル４の裏面と桟７のパネル対向脚７ａとの間に隙間Ｇが生じる可能性がある。そこで，カバー６の垂直舌部６ｆに形成されているねじ孔６ｇにねじ１１を装着してねじ込む。このねじ込みによって，ねじ１１の先端が桟７のパネル対向脚７ａを押して，相対的にカバー６全体が表面パネル４の撓んでいる中央部と共に配電盤の内側方向に引き込まれる。
その結果，図１（ｂ）に示すごとく，表面パネル４の裏面が桟７のパネル対向脚７ａに押し付けられるように接触して固定状態となる。このような固定状態では，表面パネル４と桟７との間はねじ込み時の作用力が保持された密接状態にあるため，振動などが加わっても表面パネル４が震えたり異音が発生することはない。この状態で，緩められていたナット１３を締め付けてねじ１１が緩まないようにするとともに，カバー６の連結面６ｂの水平舌部６ｄの小判孔６ｅにねじ１２を挿通させてカバー取付脚７ｃのねじ孔７ｂにねじ込んで完全固定する。
【００１６】
なお，上述した実施例の配電盤の複数の遮断器１は，その開閉操作ハンドル２が表面パネル４から突き出ないように取り付けられているため，無意識のうちに開閉操作ハンドル２に触れて誤操作することが少なくなる。しかし，本発明においては，遮断器の表面が表面パネルよりも内部に位置するものであれば，開閉操作ハンドルが表面パネルから突き出る配電盤にも適用可能である。
【００１７】
さらに，前述した実施例の配電盤では，ねじ１１によって表面パネル４と桟７とを接触させているが，ねじ１１を省略して，桟７のパネル対向脚７ａ又は表面パネル４の裏面のパネル対向脚７ａと対向する部分に，クッションなどの弾性を有するものや両面粘着部材などの振動吸収部材をテープ状や細片状にして取り付けて，表面パネルを手で桟７に押し付けた状態でねじ１２によってカバー６を桟１２に固定してもよい。このような構造のものにあっては，ねじ１１のような締め付け作業が不要であり，振動吸収部材が振動を吸収する。
【図面の簡単な説明】
【００１８】
【図１】カバーの取付方法を説明する断面図であって，（ａ）固定前及び（ｂ）固定後の図である。
【図２】本発明による配電盤の表面パネルを（ａ）正面，（ｂ）側面及び（ｃ）裏面から見た図である。
【図３】（ａ）カバー及び（ｂ）桟の斜視図である。
【図４】図２の表面パネルをＡ−Ａから見た断面図である。
【図５】従来の配電盤を示す正面図である。
【図６】従来の配電盤に取り付けられた遮断器を図５の下方から見た図である。
【図７】従来の配電盤の表面パネルを示す図である。
【符号の説明】
【００１９】
１    遮断器
２    開閉操作ハンドル
３    ヒンジ
４    表面パネル
５    開口部
５ａ  内縁
５ｂ  内縁
６    カバー
６ａ  表平面
６ｂ  連結面
６ｃ  内平面
６ｄ  水平舌部
６ｅ  小判孔
６ｆ  垂直舌部
６ｇ  ねじ孔
７    桟
７ａ  パネル対向脚
７ｂ  ねじ孔
７ｃ  カバー取付脚
７ｄ  取付舌部
８    平面突起
９    ねじ
１０  ねじ
１１  ねじ
１２  ねじ
１３  ナット
【図１】
0004625381.tif 000002
【図２】
0004625381.tif 000003
【図３】
0004625381.tif 000004
【図４】
0004625381.tif 000005
【図５】
0004625381.tif 000006
【図６】
0004625381.tif 000007
【図７】
0004625381.tif 000008